(57)【特許請求の範囲】
【請求項１】
木造の階段であって、
複数の柱と、
複数の踏板であって、該複数の踏板の各々の一端側が前記複数の柱のうちの少なくとも１つに埋め込まれる複数の踏板と、
複数の蹴込板であって、該複数の蹴込板の各々の一端側が前記複数の柱のうちの少なくとも１つに埋め込まれる複数の蹴込板と
を備え、
前記複数の踏板および前記複数の蹴込板は、前記一端側および他端側のうちの該一端側のみで支持され、
前記複数の蹴込板のうちの少なくとも１つの蹴込板の前記一端側は、前記複数の柱のうちの少なくとも１つを貫通するように配置され、
前記複数の踏板のうちの少なくとも１つの踏板の前記一端側は、前記複数の柱のうちの少なくとも１つを貫通するように配置される
木造の階段。
【請求項２】
請求項１に記載の木造の階段であって、
前記複数の柱のうちの隣り合う２つの柱の間において前記踏板の下面と当接するように配置される第１の受材であって、前記隣り合う２つの柱に固定される第１の受材を備える
木造の階段。
【請求項３】
請求項１または請求項２に記載の木造の階段であって、
前記複数の柱のうちの隣り合う２つの柱の間において前記踏板の上面と当接するように配置される第２の受材であって、前記隣り合う２つの柱に固定される第２の受材を備える
木造の階段。
【請求項４】
請求項１ないし請求項３のいずれか一項に記載の木造の階段であって、
前記複数の柱の、前記踏板および前記蹴込板の側の面に、前記複数の柱に亘って配置される第１の板材であって、前記踏板および前記蹴込板が貫通する第１の板材を備える
木造の階段。
【請求項５】
請求項１ないし請求項４のいずれか一項に記載の木造の階段であって、
前記複数の柱の、前記踏板および前記蹴込板と反対側の面に、前記複数の柱に亘って配置される第２の板材を備える
木造の階段。
【請求項６】
請求項５に記載の木造の階段であって、
前記第２の板材は、前記柱を貫通した前記蹴込板と当接した状態で配置される
木造の階段。
【請求項７】
請求項１ないし請求項６のいずれか一項に記載の木造の階段であって、  前記複数の柱のうちの少なくとも１つを貫通する前記蹴込板の前記一端側は、前記柱を貫通して該柱から突出するように配置される  木造の階段。
【請求項８】
請求項１ないし請求項７のいずれか一項に記載の木造の階段であって、
前記複数の踏板のうちの少なくとも１つの前記一端側は、前記複数の柱のうちの隣り合う２つの柱に埋め込まれ、
前記踏板の前記隣り合う２つの柱に埋め込まれる部分の先端側は、他端側よりも小さな幅を有する
木造の階段。
【請求項９】
請求項１ないし請求項８のいずれか一項に記載の木造の階段であって、
前記複数の柱のうちの少なくとも１つを貫通するように配置される前記蹴込板は、該柱の前記一端側から楔が打ち込まれることによって該柱に緊結される
木造の階段。
【請求項１０】
木造の階段用の中間組立体であって、
柱と、
複数の踏板であって、該複数の踏板の各々の一端側が前記柱に埋め込まれる踏板と、
複数の蹴込板であって、該複数の蹴込板の各々の一端側が前記柱に埋め込まれる蹴込板と
を備え、
前記複数の蹴込板のうちの少なくとも１つの蹴込板の前記一端側は、前記柱を貫通するように配置され、
前記複数の踏板のうちの少なくとも１つの踏板の前記一端側は、前記柱を貫通するように配置される
中間組立体。
【発明の詳細な説明】
【技術分野】
【０００１】
本発明は、木造の階段に関する。
【背景技術】
【０００２】
建物、例えば、住宅においては、デザインの観点などから木造の階段が使用される場合がある。木造の階段は、鋼製の階段よりも強度が小さいので、そのデザインや構造に制約が多い。例えば、鋼製の階段は、踏板を片持ち支持する構成であっても実現可能であるが、木造の階段は、踏板を片持ち支持する構成を実現することが難しい。このため、踏板の長手方向の一端側を柱で支持し、他端側を壁面などで支持する構造が一般的に採用される。仮に、踏板を片持ち支持する木造の階段を実現可能であっても、そのような構造は、強度を確保するために、１つの柱に複数の踏板を精度良く取り付ける必要があり、施工性が悪かった。このような問題は、特に、木造の廻り階段において顕著である。
【先行技術文献】
【特許文献】
【０００３】
【特許文献１】特開２００５−３２５６２２号公報
【発明の概要】
【発明が解決しようとする課題】
【０００４】
しかしながら、デザインや配置の観点から、踏板を片持ち支持する木造の階段を提供できることが望ましい。また、このような階段は、容易に施工できることが望ましい。
【課題を解決するための手段】
【０００５】
本発明は、上述の課題の少なくとも一部を解決するためになされたものであり、例えば、以下の形態として実現することが可能である。
【０００６】
本発明の第１の形態によれば、木造の階段が提供される。この木造の階段は、複数の柱と、複数の踏板であって、複数の踏板の各々の一端側が複数の柱のうちの少なくとも１つに埋め込まれる複数の踏板と、複数の蹴込板であって、複数の蹴込板の各々の一端側が複数の柱のうちの少なくとも１つに埋め込まれる複数の蹴込板と、を備える。複数の踏板および複数の蹴込板は、一端側および他端側のうちの一端側のみで支持される。
【０００７】
かかる木造の階段によれば、複数の踏板と複数の蹴込板とが一体的な１つの構造となり、踏板および蹴込板が柱に埋め込まれる箇所において柱に十分な強度で支持される。したがって、踏板を片持ち支持する木造の階段を提供できる。しかも、複数の踏板および複数の蹴込板は、複数の柱に分散して取り付けることができるので、複数の踏板および複数の蹴込板の全てを１つの柱に取り付ける場合と比べて、柱の、踏板および蹴込板の取付箇所の加工が容易になるとともに、踏板および蹴込板の柱への取付作業が容易となり、施工性が向上する。なお、木造の階段を構成する全ての踏板および蹴込板が柱に片持ち支持される必要はなく、全ての踏板および蹴込板の一部分のみが柱に片持ち支持されていてもよい。
【０００８】
本発明の第２の形態によれば、第１の形態において、複数の蹴込板のうちの少なくとも１つの蹴込板の一端側は、複数の柱のうちの少なくとも１つを貫通するように配置される。かかる形態によれば、複数の踏板と複数の蹴込板との一体構造をより強固に支持することができる。
【０００９】
本発明の第３の形態によれば、第１または第２の形態において、複数の柱のうちの隣り合う２つの柱の間において踏板の下面と当接するように配置される第１の受材であって、隣り合う２つの柱に固定される第１の受材を備える。かかる形態によれば、踏板の柱側の部位が第１の受材によって支持されるので、人が踏むなどして踏板に下向きの力が作用した場合に、踏板が柱側を中心として下方に向けて枢動変位すること（以下、垂れ下がりとも呼ぶ）を抑制できる。
【００１０】
本発明の第４の形態によれば、第１ないし第３のいずれかの形態において、複数の柱のうちの隣り合う２つの柱の間において踏板の上面と当接するように配置される第２の受材であって、隣り合う２つの柱に固定される第２の受材を備える。かかる形態によれば、踏板に下向きの力が作用した場合に、踏板の柱側の部位を第２の受材によって、当該作用する力と反対の方向に押さえることができるので、踏板の垂れ下がりをいっそう抑制できる。換言すれば、踏板の垂れ下がりに伴う柱の挫屈を抑制できる。
【００１１】
本発明の第５の形態によれば、第１ないし第４のいずれかの形態において、複数の柱の、踏板および蹴込板の側の面に、複数の柱に亘って配置される第１の板材であって、踏板および蹴込板が貫通する第１の板材を備える。かかる形態によれば、踏板および蹴込板を第１の板材でも支持することができるので、支持強度を向上できる。しかも、複数の柱が第１の板材によって一体化されるので、柱の曲げや歪みを抑制できる。
【００１２】
本発明の第６の形態によれば、第１ないし第５のいずれかの形態において、複数の柱の、踏板および蹴込板と反対側の面に、複数の柱に亘って配置される第２の板材を備える。かかる形態によれば、複数の柱が第２の板材によって一体化されるので、柱の曲げや歪みを抑制できる。
【００１３】
本発明の第７の形態によれば、第２の形態を含む第６の形態において、第２の板材は、柱を貫通した蹴込板と当接した状態で配置される。かかる形態によれば、柱を貫通した蹴込板が第２の板材と当接することで変位しにくくなり、柱の挫屈を抑制できるとともに、階段の横揺れや振動を抑制できる。
【００１４】
本発明の第８の形態によれば、第２の形態を含む第１ないし第７のいずれかの形態において、複数の柱のうちの少なくとも１つを貫通する蹴込板の一端側は、柱を貫通して柱から突出するように配置される。かかる形態によれば、蹴込板を柱に緊結する際に、楔を打ち込みやすくすることができる。その結果、施工性が向上する。
【００１５】
本発明の第９の形態によれば、第１ないし第８のいずれかの形態において、複数の踏板のうちの少なくとも１つの一端側は、複数の柱のうちの隣り合う２つの柱に埋め込まれ、踏板の隣り合う２つの柱に埋め込まれる部分の先端側は、他端側よりも小さな幅を有する。かかる形態によれば、柱の断面欠損を抑制し、柱の強度低下を抑制することができる。
【００１６】
本発明の第１０の形態によれば、木造の階段用の中間組立体が提供される。この中間組立体は、柱と、複数の踏板であって、複数の踏板の各々の一端側が柱に埋め込まれる複数の踏板と、複数の蹴込板であって、複数の蹴込板の各々の一端側が柱に埋め込まれる複数の蹴込板と、を備える。かかる中間組立体を工場で予め製作して、建築現場に搬入して設置すれば、現場作業において高い施工精度が不要となるので、施工性が向上する。
【図面の簡単な説明】
【００１７】
【図１】本発明の第１実施例としての木造の階段の概略構成を示す図である。
【図２】階段の正面図である。
【図３】図２のＡ−Ａ線に沿った階段の断面図を示す斜視図である。
【図４】階段の平面図である。
【図５】蹴込板の差込範囲を示す階段の側面図である。
【図６】第２実施例としての木造の階段の平面図である。
【図７】第２実施例としての階段の側面図である。
【図８】第２実施例としての階段の断面図である。
【発明を実施するための形態】
【００１８】
Ａ．第１実施例：
図１は、本発明の第１実施例としての木製の階段（以下、単に階段と呼ぶ）１０の概略構成を示している。図示するように、階段１０は、本実施例では、１階床９１と、２階床９２と、３階床９３と、の間に設けられている。ただし、階段１０は、高低差を有する少なくとも２つの床の間に設けられるものであればよい。階段１０は、複数（本実施例では５つ）の柱２０ａ〜２０ｅ（５つの柱を区別しない場合には、単に柱２０とも呼ぶ）と、複数の踏板３０と、複数の蹴込板４０と、を備えている。本明細書では、複数の踏板３０の各々について、踏板３０−１、踏板３０−２というように、１階床９１からの配置順序を表す枝番を付して呼ぶことがある。同様に、複数の蹴込板４０の各々について、蹴込板４０−１、蹴込板４０−２というように、１階床９１からの配置順書を表す枝番を付して呼ぶことがある。本実施例では、階段１０は、予め用意された木材から現場施工によって組み立てられる。
【００１９】
柱２０ａ〜２０ｅは、互いに間隔を隔てて、一列に配列されている。階段１０は、廻り階段であり、複数の踏板３０および蹴込板４０は、柱２０の周囲を１８０度回転するように順次配置されている。階段１０は、さらに、支持部材２１と支持部材２２とを備えている。支持部材２１は、階段１０の最下部の踏板３０の下方に設けられ、階段１０を１階床９１上に支持する。支持部材２２は、階段１０の最上部の複数の蹴込板４０と、２階床９２と、を連結し、階段１０を上方から支持する。
【００２０】
図２は、階段１０の正面図である。図３は、図２のＡ−Ａ線に沿った階段１０の断面を示す斜視図である。図４（ａ）は、階段１０の平面図であり、階段１０の１階部分の全体を示している。図４（ｂ）は、図４（ａ）に示す鎖線で囲まれた領域の部分拡大図である。図５は、階段１０の側面図である。複数の踏板３０は、例えば図４（ａ）に示すように、略矩形の形状の踏板３０（例えば、踏板３０−２）と、略扇形の形状の踏板３０（例えば、踏板３０−４）と、から構成される。蹴込板４０は、例えば、図３に示すように、略矩形形状を有しており、上下方向に隣接する２つの踏板３０（例えば、踏板３０−２，３０−３）の間を長手方向に沿って延在し、これら２つの踏板３０を鉛直方向に連結している。踏板３０と蹴込板４０とは、蹴込板４０に形成された溝に踏板３０を嵌め込むことによって連結されている。
【００２１】
踏板３０の各々は、その長手方向の一端側（内端側とも呼ぶ）が柱２０のうちの少なくとも１つに埋め込まれている。具体的には、踏板３０の内端側は、柱２０に形成された溝に嵌め込まれている。例えば、図３に示すように、踏板３０−２は、その一端側の一部分が、柱２０ａに嵌め込まれている。略扇形の踏板（廻り込み部分の踏板）３０、例えば、図４（ａ）に示す踏板３０−３〜３０−５は、その内端側が柱２０ａに嵌め込まれている。柱２０ａ〜２０ｅの配列方向に沿って配置される略矩形形状の踏板３０（例えば、踏板３０−６）は、例えば、図４（ａ）に示すように、隣接する２つの柱２０ａ，２０ｂに嵌め込まれている。具体的には、これらの略矩形形状の踏板３０の、柱２０ａ，２０ｂに嵌め込まれる部分の先端側（内端側）は、短手方向の両端がカットされた形状を有しており、その幅Ｄ２は、他端側（外端側）の幅Ｄ１よりも小さくなっている。かかる踏板３０は、柱２０ａ，２０ｂの内部において、その幅がＤ１からＤ２に狭められている。また、踏板３０の幅が狭められた部位は、その長手方向両端が柱２０ａ，２０ｂにそれぞれ嵌め込まれている。さらに、踏板３０−６の内端は、柱２０ａ，２０ｂの内端側（踏板３０と反対側）の端面よりも内端側に突出している。
【００２２】
蹴込板４０の各々は、その一端側（内端側）が柱２０のうちの少なくとも１つを貫通するように配置されている。例えば、柱２０ａ〜２０ｅの配列方向に差し込まれる蹴込板４０−２は、図３および図４（ｂ）に示すように、２つの柱２０ａ，２０ｂを貫通しており、柱２０ａ〜２０ｅの配列方向と交差する方向に差し込まれる蹴込板４０−３は、図４（ｂ）に示すように、１つの柱２０ａを貫通している。また、蹴込板４０の内端側は、柱２０を貫通して柱２０から突出するように配置されている。例えば、図３において、蹴込板４０−６は、その内端４０−６ａが柱２０ｂから突出している。かかる構成によれば、例えば、蹴込板４０（例えば、図５の蹴込板４０−４を参照）を柱２０（例えば、図５の柱２０ａを参照）に緊結する際に、楔（例えば、図５の楔４０−４ａを参照）を打ち込みやすくすることができる。その結果、施工性が向上する。
【００２３】
このようにして、踏板３０および蹴込板４０は、内端側および外端側のうちの内端側のみが柱２０によって支持されており、外端側は、何ら支持されていない自由端となっている。
【００２４】
複数の柱２０のうちの隣り合う２つの柱２０（図３では、柱２０ａ，２０ｂ）の間には、第１の受材５０と第２の受材６０とが固定されている（例えば、図３参照）。第１の受材５０および第２の受材６０は、それぞれ、その両端の柱２０に部分的に埋め込まれた上で当該柱２０に固定されている。第１の受材５０は、踏板３０のうちの、２つの柱２０の間に露出した部位の下面と当接するように配置されており、第２の受材６０は、踏板３０の当該露出部位の上面と当接するように配置されている。本実施例では、第１の受材５０は、柱２０の外端側に配置されており、第２の受材６０は、柱２０の内端側に配置されている（図３参照）。
【００２５】
以上説明した階段１０によれば、複数の踏板３０と複数の蹴込板４０とが一体的な１つの構造となり、この一体構造が、踏板３０および蹴込板４０が柱２０に埋め込まれた箇所において、柱２０に十分な強度で支持される。したがって、踏板３０を片持ち支持する（すなわち、踏板３０の外端側が自由端となる）木造の階段が提供される。しかも、複数の踏板３０および蹴込板４０は、複数の柱２０に分散して取り付けられるので、全ての踏板３０および蹴込板４０を１つの柱に取り付ける構成と比べて、踏板３０および蹴込板４０を取り付けるための取付溝を柱２０に形成するための加工が容易になるとともに、踏板３０および蹴込板４０の取付作業が容易になる。その結果、施工性が向上する。
【００２６】
また、階段１０によれば、蹴込板４０の内端４０−６ａ側が、少なくとも１つの柱２０を貫通するように配置されるので、踏板３０と蹴込板４０との一体構造をより強固に支持することができる。特に、柱２０ａ〜２０ｅが配列される方向に差し込まれる蹴込板４０−２は、２つの柱２０ａ，２０ｂを貫通するので、一体構造をより強固に支持することができる。
【００２７】
また、階段１０によれば、隣り合う２つの柱２０の間において、踏板３０の下面と接触するように第１の受材５０が配置されているので、踏板３０の柱２０側の部位が第１の受材５０によっても支持される。したがって、人が踏むなどして踏板に下向きの力が作用した場合に、踏板３０の垂れ下がりを抑制できる。さらに、階段１０によれば、隣り合う２つの柱２０の間において、踏板３０の上面と接触するように第２の受材６０が配置されている。したがって、上方から踏板３０に力が作用した場合に、踏板３０の柱２０側の部位を第２の受材６０によって、当該作用する力と反対の方向に押さえることができる。その結果、踏板３０の垂れ下がりをいっそう抑制できるとともに、踏板３０の垂れ下がりに伴う柱２０の挫屈を抑制できる。
【００２８】
また、階段１０によれば、隣り合う２つの柱２０に埋め込まれる踏板３０の内端の幅Ｄ２は、外端側の幅Ｄ１よりも小さく形成されている。したがって、柱２０の断面欠損を抑制し、柱２０の強度低下を抑制することができる。
【００２９】
Ｂ．第２実施例：
本発明の第２実施例としての階段１１０について説明する。図６（ａ）は、階段１１０の平面図であり、図６（ｂ）は、図６（ａ）に示す鎖線で囲まれた領域の部分拡大図である。図７は、階段１１０の側面図である。図８（ａ）は、図６（ｂ）のＢ−Ｂ線に沿った階段１１０の断面図であり、図８（ｂ）は、図８（ａ）のＣ−Ｃ線に沿った階段１１０の断面図である。これらの図において、各構成要素のうち、第１実施例と同一の構成要素には、第１実施例と同一の符号を付している。以下、第１実施例と異なる点についてのみ説明する。
【００３０】
階段１１０は、第１実施例の５つの柱２０ａ〜２０ｅに代えて、３つの柱２０ａ〜２０ｃを備えている。また、階段１１０は、第１実施例の第１の受材５０および第２の受材６０を備えていないが、その代わりに、板材１７０を備えている。板材１７０は、本実施例では、柱２０ａ〜２０ｃの全体としての外郭を覆うように、柱２０ａ〜２０ｃに亘ってそれらの表面に固定されている。図６（ｂ）に示すように、板材１７０のうち、外端側の板材、すなわち、踏板３０および蹴込板４０側の板材を第１の板材１７０ａとも呼び、内端側の板材、すなわち、踏板３０および蹴込板４０と反対側の板材を第２の板材１７０ｂとも呼ぶ。板材１７０には、合板、石膏ボードなど、任意の板材を使用できる。
【００３１】
踏板３０は、第１の板材１７０ａを貫通し、第１実施例と同様に、柱２０に嵌め込まれている。柱２０ａ〜２０ｃが配列されている方向に対して垂直に差し込まれる踏板３０（例えば、図６（ｂ）の踏板３０−７）の内端は、第２の板材１７０ｂと当接している。蹴込板４０は、第１の板材１７０ａを貫通し、第１実施例と同様に、柱２０を貫通している。柱２０ａ〜２０ｃが配列されている方向に対して垂直に差し込まれる蹴込板４０（例えば、図６（ｂ）の蹴込板４０−６，４０−７）は、柱２０を貫通して第２の板材１７０ｂと当接している。踏板３０と第２の板材１７０ｂ、蹴込板４０と第２の板材１７０ｂとは、それぞれ、第２の板材１７０ｂ側から打ち込まれたビス１８０によって固定されている。
【００３２】
かかる階段１１０によれば、板材１７０によって、複数の柱２０ａ〜２０ｃが一体化されるので、柱２０の曲げや歪みを抑制できる。また、踏板３０および蹴込板４０を第１の板材１７０ａでも支持することができるので、支持強度を向上できる。さらに、柱２０を貫通する蹴込板４０が、第２の板材１７０ｂと当接することによって、変位しにくくなるので、柱２０の挫屈を抑制できるとともに、階段１１０の横揺れや振動を抑制できる。
【００３３】
Ｃ．変形例：
Ｃ−１．変形例１：
上述した階段１０，１１０は、廻り階段ではなく、直線的な階段として構成されてもよい。例えば、階段１０，１１０は、全ての踏板３０および蹴込板４０が、一列に配列された複数の柱に沿って直線的に配列された階段として変形することができる。
【００３４】
Ｃ−２．変形例２：
階段１０，１１０において、蹴込板４０は、必ずしも、柱２０を貫通するように配置されていなくてもよい。このようにしても、踏板３０および蹴込板４０を柱２０に埋め込む設計を最適化することによって、踏板３０および蹴込板４０の一体構造を柱２０で片持ち支持する構造を実現することが可能である。
【００３５】
Ｃ−３．変形例３：
階段１０，１１０は、必ずしも現場施工される必要はなく、その構成部品の一部分のみが予め工場で組み立てられた中間組立体を建築現場に搬入して設置し、残りの部分が現場施工によって組み立てられてもよい。例えば、第１実施例において、相対的に下側の踏板３０および蹴込板４０を支持するための柱２０ａと、それに取り付けられる踏板３０および蹴込板４０のみを予め組み立てた中間組立体を現場に搬入してもよい。かかる態様とすれば、現場作業において高い施工精度が不要となるので、施工性が向上する。特に、略扇形の形状を有する踏板３０は、柱２０への高い取付精度が要求されるので、かかる効果は顕著なものになる。
【００３６】
以上、いくつかの実施例に基づいて本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲および明細書に記載された各形態要素の任意の組み合わせ、または、省略が可能である。例えば、階段１０は、第１の受材５０および第２の受材６０のうちのいずれか一方のみを備えていてもよいし、これらのいずれも備えていなくてもよい。あるいは、階段１１０は、第１の合板板材１７０ａおよび第２の合板板材１７０ｂのうちのいずれか一方のみを備えていてもよいし、これらのいずれも備えていなくてもよい。あるいは、階段１０の構成と階段１１０の構成とを組み合わせて採用してもよい。例えば、第１の受材５０および第２の受材６０と、板材１７０と、を備えた階段が提供されてもよい。この場合、第１の受材５０および第２の受材６０は、合板板材１７０の内部に設けられてもよい。
【符号の説明】
【００３７】
１０…階段
２０ａ〜２０ｅ…柱
２１，２２…支持部材
３０…踏板
４０−４ａ…楔
４０−６ａ…内端
４０…蹴込板
５０…第１の受材
６０…第２の受材
１１０…階段
１７０…板材
１７０ａ…第１の板材
１７０ｂ…第２の板材
１８０…ビス
【図１】
0005926343.tif 000002
【図２】
0005926343.tif 000003
【図３】
0005926343.tif 000004
【図４】
0005926343.tif 000005
【図５】
0005926343.tif 000006
【図６】
0005926343.tif 000007
【図７】
0005926343.tif 000008
【図８】
0005926343.tif 000009